【手続補正書】
【提出日】平成21年5月8日(2009.5.8)
【手続補正１】
【補正対象書類名】特許請求の範囲
【補正対象項目名】全文
【補正方法】変更
【補正の内容】
【特許請求の範囲】
【請求項１】
移動体通信機器であって、
ＲＦ回路構成と、
アンテナアセンブリと、を備え、
前記ＲＦ回路構成は、第１のＲＦ信号ポートと、第２のＲＦ信号ポートとを有し、
前記アンテナアセンブリは、前記第１のポートにつながれた細長い放射体構造を有する第１のシングルエンド型アンテナと、少なくとも１つの放射素子、および該放射素子のためのバランスのとれた給電を提供するバランを有する第２のアンテナとを含み、
前記第２のアンテナは、前記放射体構造と前記第１の信号ポートとの接続から離れた位置に、前記第１のアンテナの前記細長い放射体構造の遠端部分を形成し、
前記第１のアンテナの前記細長い放射体構造は、前記第２のアンテナのための給電経路として機能し、該給電経路は、前記バランと前記第２の信号ポートとの間を前記放射体構造に沿って延び、
前記第２のアンテナは、５より大きい相対誘電率を有する固体材料の電気絶縁性コアを有し、
前記少なくとも１つの放射素子は、前記コアの外表面の上にまたは該コアの外表面に隣接して設けられる、
移動体通信機器。
【請求項２】
請求項１に記載の移動体通信機器であって、
前記バランは、前記コア上に配置される、移動体通信機器。
【請求項３】
請求項１又は請求項２に記載の移動体通信機器であって、
前記第１のアンテナの放射体構造は、前記第２のアンテナのためのプリアンプを含み、
前記プリアンプは、前記第２のアンテナのための前記給電経路の一部を形成し、前記第２のアンテナの上にまたは前記第２のアンテナに隣接して配置される、移動体通信機器。
【請求項４】
請求項１ないし３のいずれかに記載の移動体通信機器であって、
前記第１のアンテナの前記放射体構造は、前記第２のアンテナから前記ＲＦ回路構成へと信号を供給するための伝送線路を含み、
前記伝送線路は、前記第２の信号ポートに結合された第１の導体と、該第１の導体に並行であるとともに該第１の導体に隣接し、前記第２のアンテナの動作周波数において接地
接続を形成する前記ＲＦ回路構成のノードに結合された第２の導体とを含む、移動体通信機器。
【請求項５】
請求項４に記載の移動体通信機器であって、
前記第１のアンテナの前記細長い放射体構造は、互いに絶縁された複数の並行する細長い導体を有する積層アセンブリを含む、移動体通信機器。
【請求項６】
請求項５に記載の移動体通信機器であって、
前記第１のアンテナの前記放射体構造は、中間絶縁層によって互いに絶縁された３枚の導電層を有する３層構造であり、その外側導電層は、前記ＲＦ回路構成の前記第１の信号ポートにつながれた１対の相互接続された細長い導体を含み、該外側導体間には、細長い内側導体が配置され、且つ前記ＲＦ回路構成の前記第２の信号ポートにつながれる、移動体通信機器。
【請求項７】
請求項４に記載の移動体通信機器であって、
前記第１のアンテナの前記細長い放射体構造は、前記第２の信号ポートにつながれた内側導体と、前記第１の信号ポートにつながれた外側導体とを含む同軸伝送線路である、移動体通信機器。
【請求項８】
請求項１ないし３のいずれかに記載の移動体通信機器であって、
前記細長い放射体構造は、前記第２の信号ポートにつながれた内側導体と、前記第１の信号ポートにつながれたシールド導体とを有する同軸ケーブルである、移動体通信機器。
【請求項９】
請求項１ないし８のいずれかに記載の移動体通信機器であって、
第１のアンテナは、少なくとも１つの放射フィンガを有する逆Ｆアンテナであり、前記放射フィンガの基部は、前記第１の信号ポートに給電接続素子によって、そして前記第１の信号ポートから離れた接地接続に分路素子によって結合され、
前記第２のアンテナは、前記少なくとも１つの放射フィンガの端にある、移動体通信機器。
【請求項１０】
請求項９に記載の移動体通信機器であって、
基部を前記給電接続素子および前記分路素子につながれた第２の放射フィンガを少なくとも備え、
前記移動体通信機器は、更に、少なくとも１つの放射素子と、該放射素子のためのバランスのとれた給電接続を提供するバランとを有する第３のアンテナを備え、
前記第３のアンテナは、前記第２の放射フィンガの端に配置され、該第２の放射フィンガは、前記第３のアンテナの前記バランと前記ＲＦ回路構成の第３の信号ポートとの間を該第２の放射フィンガに沿って延びる前記第３のアンテナのための第２の給電経路として機能する、移動体通信機器。
【請求項１１】
請求項９または１０に記載の移動体通信機器であって、
前記第２のアンテナのための前記給電経路は、前記分路素子を通って前記第２のポートに達する、移動体通信機器。
【請求項１２】
請求項１０に記載の移動体通信機器であって、
前記第２の給電経路は、前記分路素子を通って前記第３のポートに達する、移動体通信機器。
【請求項１３】
請求項９ないし１２のいずれかに記載の移動体通信機器であって、
前記第１のアンテナは、板状逆Ｆアンテナであり、
前記少なくとも１つの放射フィンガは、前記ＲＦ回路構成に関連付けられた接地面導体の上に該接地面導体から離して配置された導体片を含む、移動体通信機器。
【請求項１４】
請求項１３に記載の移動体通信機器であって、
前記給電接続素子および前記分路素子は、板状導体素子であり、
前記第２のアンテナのための前記給電経路は、前記少なくとも１つの放射フィンガおよび前記分路素子に沿って、該放射フィンガおよび該分路素子を形成する前記導電性素子に並行して延びる、導電性軌道を含む、移動体通信機器。
【請求項１５】
請求項１４に記載の移動体通信機器であって、
前記少なくとも１つの放射フィンガと、前記給電接続素子と、前記分路素子とは、上方導電層と、下方導電層と、前記給電経路軌道を含む中間層とを有する多層構造として一体的に形成され、
前記軌道は、絶縁層によって前記上方導電層および前記下方導電層から絶縁され、前記上方層および前記下方層は、それらの長さに沿って、前記給電経路軌道の両側を、少なくとも間隔をあけて相互に接続される、移動体通信機器。
【請求項１６】
請求項１５に記載の移動体通信機器であって、
前記上方導電層および前記下方導電層は、めっきされたビアによって相互に接続される、移動体通信機器。
【請求項１７】
デュアルサービス無線通信機器のためのアンテナアセンブリであって、
第１の出力ノードにつながれた細長い放射体構造を有する第１のシングルエンド型アンテナと、
少なくとも１つの放射素子と、該放射素子のためのバランスのとれた給電接続を提供するバランとを有する第２のアンテナと、を備え、
前記第２のアンテナは、前記第１の出力ノードから離れた位置に、前記第１のアンテナの前記細長い放射体構造の遠端部分を形成し、
前記第１のアンテナの前記細長い放射体構造は、前記第２のアンテナのための給電経路として機能し、前記給電経路は、前記バランと第２の出力ノードとの間を前記放射体構造にそって延び、
前記第２のアンテナは、５より大きい相対誘電率を有する固体材料の電気絶縁性コアを有し、
前記少なくとも１つの放射素子は、前記コアの外表面の上にまたは該コアの外表面に隣接して設けられる、
アンテナアセンブリ。
【請求項１８】
請求項１７に記載のアンテナアセンブリであって、
前記第１のアンテナは、少なくとも１つの放射フィンガを有する逆Ｆアンテナであり、
前記第２のアンテナは、前記放射フィンガの端に配置される、アンテナアセンブリ。
【請求項１９】
請求項１７または１８のいずれかに記載のアンテナアセンブリであって、
前記バランは、前記コア上にある、アンテナアセンブリ。
【請求項２０】
請求項１８に記載のアンテナアセンブリであって、
前記第１のアンテナは、板状逆Ｆアンテナである、アンテナアセンブリ。
【請求項２１】
携帯用通信ユニットのためのアンテナアセンブリであって、
放射分岐素子と、前記分岐素子を第１の信号端子につなぐ給電接続素子と、前記分岐素子を接地端子につなぐ接地素子とを有する逆Ｆアンテナと、
３次元アンテナ素子構造と、前記アンテナ素子構造のためのバランスのとれた給電点を提供するように構成された一体型バランとを有する誘電体装荷アンテナと、を備え、
前記誘電体装荷アンテナは、前記バランを前記分岐素子に電気的につながれた状態で、前記分岐素子の端部分に配置され、
前記アセンブリは、更に、前記逆Ｆアンテナの前記分岐素子および前記接地素子に沿って、前記接地端子に隣接する第２の信号端子に達する、前記誘電体装荷アンテナのための給電経路を備えるアンテナアセンブリ。
【請求項２２】
多重サービス移動体無線通信機器であって、
複数の周波数帯で同時に動作することができる無線周波数（ＲＦ）回路構成であって、少なくとも第１の周波数帯の信号のための第１の信号ポートと、少なくとも第２の周波数帯の信号のための第２の信号ポートと、前記第１および第２の周波数帯の信号のための共通接地とを含む回路構成と、
前記ＲＦ回路構成につながれた複数端子ネットワークの形態をとるアンテナアセンブリであって、（ａ）細長い導電性分岐素子を有する逆Ｆアンテナであって、前記分岐素子の基部が、前記アンテナの導電性給電接続素子によって前記ネットワークの第１の端子につながれ、そして前記アンテナの導電性接地素子によって前記ネットワークの第２の端子につながれる、逆Ｆアンテナと、（ｂ）誘電体装荷アンテナであって、給電線と、５より大きい相対誘電率の固体材料で作成されたコアと、前記コアの外表面上のまたは前記コアの外表面に隣接する少なくとも１つの放射素子と、前記コアの外表面上にあり、前記放射素子を前記給電線につなぐバランとを有する誘電体装荷アンテナと、を含む、アンテナアセンブリと、を備え、
前記誘電体装荷アンテナは、前記逆Ｆアンテナの前記分岐素子の遠位端に配置され、前記アンテナアセンブリは、更に、前記誘電体装荷アンテナの前記給電線から前記逆Ｆアンテナの前記分岐素子および前記接地素子に沿って前記ネットワークの第３の端子に到る給電経路を含み、
前記第１および第３のネットワーク端子は、前記第１および第２のポートにそれぞれつながれ、前記第２のネットワーク端子は、前記ＲＦ回路構成の前記共通接地につながれる、多重サービス移動体無線通信機器。
【請求項２３】
多重サービス無線通信機器のためのアンテナアセンブリであって、複数端末ネットワークの形態をとり、
（ａ）細長い導電性分岐素子を有する逆Ｆアンテナであって、前記分岐素子の基部が、前記アンテナの導電性給電接続素子によって前記ネットワークの第１の端子につながれ、そして前記アンテナの導電性接地素子によって前記ネットワークの第２の端子につながれる、逆Ｆアンテナと、
（ｂ）誘電体装荷アンテナであって、給電線と、５より大きい相対誘電率の固体材料で作成されたコアと、前記コアの外表面上のまたは前記コアの外表面に隣接する少なくとも１つの放射素子と、前記コアの外表面上にあり、前記放射素子を前記給電線につなぐバランとを有する誘電体装荷アンテナと、を備え、
前記誘電体装荷アンテナは、前記逆Ｆアンテナの前記分岐素子の遠位端に配置され、
前記アンテナアセンブリは、更に、前記誘電体装荷アンテナの前記給電線から前記逆Ｆアンテナの前記分岐素子および前記接地素子に沿って前記ネットワークの第３の端子に到る給電経路を備える、アンテナアセンブリ。
【請求項２４】
請求項２３に記載のアンテナアセンブリであって、
前記誘電体装荷アンテナは、前記給電線の第１の導体から、前記給電線の第２の導体につながれた導電性バランスリーブの縁に到る、同一の広がりを持つ複数のヘリカルアンテナ素子を有する、バックファイヤヘリカルアンテナを含み、
前記給電線の前記第１および第２の導体は、前記給電経路および前記逆Ｆアンテナの前
記導電性分岐素子にそれぞれ結合される、アンテナアセンブリ。